(57)【要約】【課題】フード内に水が残留することを防止する。【解決手段】コネクタ１０は、前方に開口するフード部１３を有し、パネルＰの取付孔Ｈに取り付けられた待受け側ハウジング１１と、フード部１３に嵌入可能な端子収容部３１を有する嵌込側ハウジング３０と、フード部１３を構成する下壁部１６に形成された排水口２１と、排水口２１開口縁の一部のみから排水口２１の開口領域内に突出し、上面が下壁部１６の上面１６Ｓに連なる誘水面２３となっている誘水突起２２とを備えている。【選択図】図７
2018073730.tif 000002
【特許請求の範囲】
【請求項１】
前方に開口するフード部を有し、パネルの取付孔に取り付けられた待受け側ハウジングと、
前記フード部に嵌入可能な端子収容部を有する嵌込側ハウジングと、
前記フード部を構成する下壁部に形成された排水口と、
前記排水口の開口縁の一部のみから前記排水口の開口領域内に突出し、上面が前記下壁部の上面に連なる誘水面となっている誘水突起とを備えていることを特徴とするコネクタ。
【請求項２】
前記誘水面が、前記排水口の開口縁から前記排水口の開口領域内に向かって下り勾配となるように傾斜していることを特徴とする請求項１記載のコネクタ。
【請求項３】
前記誘水面が前記下壁部の上面に対し鈍角状に連なっていることを特徴とする請求項２記載のコネクタ。
【請求項４】
前記誘水突起が、前記誘水面の突出端から下方へ延出した流下面を有していることを特徴とする請求項１ないし請求項３のいずれか１項に記載のコネクタ。
【請求項５】
前記下壁部の下面から突出し、前記誘水突起の下端部に連なる補強部を備えていることを特徴とする請求項１ないし請求項４のいずれか１項に記載のコネクタ。
【請求項６】
前記フード部が、前記下壁部の後端部に連なる背壁部を有しており、
前記排水口が前記背壁部の下端部にも開口されており、
前記背壁部には、前記排水口の開口縁を構成する上縁部の一部のみから前記排水口の開口領域内へ下向きに突出した形態の補助誘水突起が形成されていることを特徴とする請求項１ないし請求項５のいずれか１項に記載のコネクタ。
【発明の詳細な説明】
【技術分野】
【０００１】
本発明は、コネクタに関するものである。
【背景技術】
【０００２】
特許文献１には、横向きに開口するフード部を有する待受け側ハウジングをパネルの取付孔に設け、嵌込側ハウジングをフード部内に嵌合するようにしたコネクタが開示されている。
【先行技術文献】
【特許文献】
【０００３】
【特許文献１】特開２００８−１０３３２５号公報
【発明の概要】
【発明が解決しようとする課題】
【０００４】
この種のコネクタにおいて、嵌込側ハウジングの外周とフード部の内周との隙間に浸入した水が残留したままになると、両ハウジングに設けた端子金具が被水する虞がある。この対策としては、フード部の内周と嵌込側ハウジングの外周との間にシール部材を設けて浸水を防げば良いのであるが、そうすると、部品点数が増えるという問題がある。
【０００５】
本発明は上記のような事情に基づいて完成されたものであって、フード内に水が残留することを防止することを目的とする。
【課題を解決するための手段】
【０００６】
本発明は、
前方に開口するフード部を有し、パネルの取付孔に取り付けられた待受け側ハウジングと、
前記フード部に嵌入可能な端子収容部を有する嵌込側ハウジングと、
前記フード部を構成する下壁部に形成された排水口と、
前記排水口の開口縁の一部のみから前記排水口の開口領域内に突出し、上面が前記下壁部の上面に連なる誘水面となっている誘水突起とを備えているところに特徴を有する。
【発明の効果】
【０００７】
下壁部の上面のうち排水口に隣接する領域に水膜が形成さると、その水膜が表面張力により誘水面に引き込まれ、排水口の開口領域からフード部外へ排出される。これにより、フード部内に水が残留することを防止できる。
【図面の簡単な説明】
【０００８】
【図１】実施例１のコネクタにおいて待受け側ハウジングと嵌込側ハウジングを離脱させた状態をあらわす側面図
【図２】図１のＡ−Ａ線断面図
【図３】待受け側ハウジングと嵌込側ハウジングの嵌合途中の状態をあらわすＡ−Ａ線相当断面図
【図４】待受け側ハウジングの背面図
【図５】待受け側ハウジングの底面図
【図６】図４のＢ−Ｂ線断面図
【図７】図４のＣ−Ｃ線部分拡大断面図
【図８】実施例２のコネクタの待受け側ハウジングの背面図
【図９】実施例２の待受け側ハウジングの底面図
【図１０】図８のＤ−Ｄ線断面図
【図１１】図８のＥ−Ｅ線部分拡大断面図
【発明を実施するための形態】
【０００９】
本発明は、前記誘水面が、前記排水口の開口縁から前記排水口の開口領域内に向かって下り勾配となるように傾斜していてもよい。この構成によれば、誘水面の傾斜によって、排水効率が向上する。
本発明は、前記誘水面が前記下壁部の上面に対し鈍角状に連なっていてもよい。この構成によれば、下壁部の上面の水膜が誘水面に移行し易い。
本発明は、前記誘水突起が、前記誘水面の突出端から下方へ延出した流下面を有していてもよい。この構成によれば、誘水面上に引き込まれた水膜は、誘水面の突出端から流下面に引き込まれることにより、確実に排出される。
本発明は、前記下壁部の下面から突出し、前記誘水突起の下端部に連なる補強部を備えていてもよい。この構成によれば、フード部の外面に露出する誘水突起に異物が干渉しても、誘水突起の変形を防止できる。
本発明は、前記フード部が、前記下壁部の後端部に連なる背壁部を有しており、前記排水口が前記背壁部の下端部にも開口されており、前記背壁部には、前記排水口の開口縁を構成する上縁部の一部のみから前記排水口の開口領域内へ下向きに突出した形態の補助誘水突起が形成されていてもよい。この構成によれば、背壁部を伝って落ちた水が、排水口の開口縁の上縁部に隣接する領域に水膜を形成すると、その水膜は、補助誘水突起によって排水口内に引き込まれて排水される。
【００１０】
＜実施例１＞
以下、本発明を具体化した実施例１を図１〜図７を参照して説明する。尚、以下の説明において、前後の方向については、図１〜３，５〜７における右方を前方と定義する。上下の方向については、図１，４，７にあらわれる向きを、そのまま上方、下方と定義する。
【００１１】
本実施例１のコネクタ１０は、図１〜３に示すように、パネルＰの取付孔Ｈに取り付けられた待受け側ハウジング１１と、待受け側ハウジング１１と嵌合可能な嵌込側ハウジング３０とを備えて構成されている。待受け側ハウジング１１は、複数の雄端子金具（図示省略）を保持する端子保持部１２と、端子保持部１２の前端から前方へ延出したフード部１３とを有している。
【００１２】
フード部１３は、端子保持部１２の前端外周縁から全周に亘ってフランジ状に張り出した背壁部１４と、背壁部１４の外周から前方へ突出した筒部１５とを備えている。筒部１５は、下壁部１６と、下壁部１６の左右両側縁から上方へ延出した左右両側壁部１７と、左右両側壁部１７の上端縁を連結した形態の上壁部１８とから構成されている。筒部１５の前端部外周には、パネルＰの後面における取付孔Ｈの孔縁部に当接するフランジ状の当接部１９が形成されている。フード部１３には、背壁部１４から左右両側壁部１７の内面に沿って前方へ片持ち状に延出した形態の弾性係止片２０が形成されている。
【００１３】
待受け側ハウジング１１は、フード部１３の前端の開口部を取付孔Ｈに対応させ、当接部１９をパネルＰの後面に当接させるとともに、弾性係止片２０の抜止め突起を、バネルの前面における取付孔Ｈの孔縁部に係止させることにより、パネルＰに対して取り付けた状態に保持されている。また、弾性係止片２０は、取付孔Ｈの孔縁部に対し弾性的に当接している。したがって、パネルＰや待受け側ハウジング１１が振動を受けたり、待受け側ハウジング１１に前方からの外力が作用しても、待受け側ハウジング１１はパネルＰから離脱する虞はない。
【００１４】
嵌込側ハウジング３０は、複数の雌端子金具（図示省略）を収容する端子収容部３１を備えている。嵌込側ハウジング３０は、待受け側ハウジング１１の前方から端子収容部３１をフード部１３内に収容させるようにして、嵌込側ハウジング３０に嵌合される。嵌込側ハウジング３０の背面側（待受け側ハウジング１１とは前後反対側）には、防水手段としての弾性を有するグロメット３２が取り付けられている。
【００１５】
両ハウジング１１，３０が正規嵌合した状態（図示省略）では、グロメット３２が、パネルＰの前面のうち取付孔Ｈを全周に亘って包囲する領域に液密状に密着する。このグロメット３２により、パネルＰの前面側において両ハウジング１１，３０の嵌合部分に浸水することと、パネルＰの前方から取付孔Ｈとフード部１３との隙間に浸水することとが防止されている。
【００１６】
本実施例１のコネクタ１０では、パネルＰの後面と待受け側ハウジング１１の当接部１９との隙間にはシール手段が設けられていないため、パネルＰの後面と当接部１９との隙間からフード部１３内に浸水することが懸念される。その対策として、フード部１３の下壁部１６には、フード部１３の内部（下壁部１６の上面１６Ｓ）とフード部１３の外部（下壁部１６の下方及び背壁部１４の後方）との間を連通させる左右一対の排水口２１が形成されている。
【００１７】
排水口２１は、下壁部１６の後端部から背壁部１４の下端部に亘って開口している。図５，６に示すように、平面視における排水口２１の開口領域は、前後寸法に比べて左右寸法の大きい略方形をなしている。図４に示すように、背面視における排水口２１の開口領域は、上下寸法に比べて左右寸法の大きい略方形をなしている。平面視の開口領域の左右方向における形成範囲と、背面視における排水口２１の開口領域の左右方向における形成範囲は、同じ範囲に設定され、互いに連通して１つの開口部を構成している。
【００１８】
フード部１３内に浸入して背壁部１４の内面を伝って流れ落ちた水の一部は、背壁部１４における排水口２１の開口領域からフード部１３の外部下方へ滴下する。また、フード部１３内に浸入して背壁部１４や側壁部１７の内面を伝って流れ落ちた水は、下壁部１６の上面１６Ｓ（フード部１３の内面）において水膜（図示省略）を形成し、水膜が排水口２１に隣接すると、その水膜が排水口２１からフード部１３の外部へ排出される。
【００１９】
本実施例１では、排水口２１からの排水効率を向上させる手段としては、下壁部１６には誘水突起２２が形成されている。図５〜７に示すように、誘水突起２２は、下壁部１６において各排水口２１の開口領域を区画する開口縁のうち前縁部２１Ｆから、開口領域内に向かって後方へ片持ち状に突出した形態である。前縁部２１Ｆは、左右方向に直線状に延びている。
【００２０】
誘水突起２２は、前縁部２１Ｆの一部、即ち前縁部２１Ｆにおける左右方向中央位置のみに配されている。したがって、誘水突起２２の幅寸法（左右寸法）は、排水口２１の開口領域の幅寸法よりも小さい。また、誘水突起２２が形成されているのは開口縁のうち前縁部２１Ｆだけであり、側縁部には形成されていない。１つの排水口２１に形成されている誘水突起２２は、１つだけである。
【００２１】
誘水突起２２の上面は、その突出端（開口領域）に向かって下り勾配となるように傾斜した誘水面２３となっている。誘水面２３の全領域は、傾斜角度が一定の１つの平面だけで構成されている。誘水面２３の前端（基端）は、下壁部１６の上面１６Ｓに対し鈍角状に連なっている。したがって、下壁部１６の上面１６Ｓと誘水面２３との境界には、段差部は存在しない。
【００２２】
フード部１３には、各誘水突起２２に個別に連なる左右一対の補強部２４が形成されている。補強部２４は、下壁部１６の下面（外面）からリブ状に突出した形態であり、前後方向に長く延びている。左右方向（幅方向）における誘水突起２２の形成領域と補強部２４の形成領域とは一致しており、補強部２４の後端部が誘水突起２２の下端部に連なっている。また、誘水突起２２の後端面と補強部２４の後端面は、鉛直方向の流下面２５となっている。流下面２５の上端は、誘水面２３の後端に対し鈍角をなして連なっている。
【００２３】
下壁部１６の上面１６Ｓのうち排水口２１の近傍前側に隣接する領域に水膜（図示省略）が形成され、その水膜が、排水口２１の前縁部２１Ｆに到達し、前縁部２１Ｆよりも幅狭の誘水面２３の前端部に接すると、表面張力により水膜が下壁部１６の上面１６Ｓから誘水面２３へ引き込まれる。また、誘水面２３は、下壁部１６における水膜の存在領域から遠ざかる方向（排水口２１の開口領域の内部）に向かって下るように傾斜している。したがって、表面張力と誘水面２３の傾斜とにより、下壁部１６の水膜が排水口２１の開口領域内へ引き込まれ、排水口２１からフード部１３の外部下方へ確実に排出される。
【００２４】
本実施例１のコネクタ１０は、前方に開口するフード部１３を有し、パネルＰの取付孔Ｈに取り付けられた待受け側ハウジング１１と、フード部１３に嵌入可能な端子収容部３１を有する嵌込側ハウジング３０とを備えている。フード部１３を構成する下壁部１６には、排水口２１が形成されているとともに、排水口２１の開口縁（前縁部２１Ｆ）の一部のみから排水口２１の開口領域内に突出する誘水突起２２が形成されている。誘水突起２２の上面は、下壁部１６の上面１６Ｓに連なる誘水面２３となっている。
【００２５】
この構成によれば、下壁部１６の上面１６Ｓのうち排水口２１の前縁部２１Ｆに隣接する領域に水膜が形成されると、前縁部２１Ｆから排水口２１の開口領域内に突出している幅狭の誘水突起２２（誘水面２３）には、下壁部１６の上面１６Ｓよりも大きい表面張力が生じる。この表面張力により、下壁部１６の水膜は、誘水面２３に引き込まれ、排水口２１の開口領域からフード部１３外へ排出される。したがって、本実施例１のコネクタ１０によれば、フード部１３内（下壁部１６の上面１６Ｓ）に水が残留することを防止できる。
【００２６】
また、誘水面２３は、排水口２１の前縁部２１Ｆから排水口２１の開口領域内に向かって下り勾配となるように傾斜しているので、排水効率が向上する。また、誘水面２３は、下壁部１６の上面１６Ｓに対して鈍角状に連なっているので、下壁部１６の上面１６Ｓの水膜が誘水面２３に移行し易い。また。誘水突起２２は、誘水面２３の突出端（後端）から下方へ延出した流下面２５を有しているので、誘水面２３上に引き込まれた水膜は、誘水面２３の突出端から流下面２５に引き込まれることにより、確実に排出される。
【００２７】
また、誘水突起２２は、フード部１３の下壁部１６の外面（下面）に開口する開口領域内に突出しているため、誘水突起２２が下壁部１６の外面に露出していると、誘水突起２２に対する異物の干渉が懸念される。しかし、本実施例１では、下壁部１６の下面に、誘水突起２２の下端部の全領域に連なる補強部２４を形成している。この補強部２４は、下壁部１６の下面（外面）からリブ状に突出しているので、誘水突起２２の剛性を高める機能を有する。したがって、誘水突起２２に異物が干渉しても、誘水突起２２の変形を防止できる。また、誘水突起２２に対する下方から異物の干渉を、補強部２４の後端部によって回避することもできる。
【００２８】
＜実施例２＞
次に、本発明を具体化した実施例２を図８〜図１１を参照して説明する。本実施例２のコネクタ４０は、実施例１のコネクタ１０において、待受け側ハウジング４１のフード部４３を構成する背壁部４４に補助誘水突起４６を追加するとともに、待受け側ハウジング４１を構成する端子保持部４２に補助補強部４８を追加したものである。その他の構成については上記実施例１と同じであるため、同じ構成については、同一符号を付し、構造、作用及び効果の説明は省略する。
【００２９】
補助誘水突起４６は、背壁部４４における排水口４５の開口領域を区画する上縁部４５Ｕから、開口領域内に向かって下方へ片持ち状に突出した形態である。補助誘水突起４６の前面（フード部４３内に臨む面）は、背壁部４４の前面（フード部４３の内面）に対して面一状に連なる補助誘水面４７となっている。左右方向における補助誘水突起４６の形成範囲は、誘水突起の形成範囲と一致いている。したがって、補助誘水突起４６の幅寸法（左右寸法）は、上縁部４５Ｕの幅寸法より小さい。
【００３０】
補助補強部４８は、端子保持部４２の下面（外面）から下方へリブ状に突出すると同時に背壁部４４の後面（外面）からリブ状に突出した形態である。左右方向（幅方向）における補助誘水突起４６の形成領域と補助補強部４８の形成領域とは一致しており、補助補強部４８の前端部が補助誘水突起４６の後端部に連なっている。また、補助誘水突起４６の下端面（突出端面）と補助補強部４８の下端面は、水平方向の縁切面４９となっている。縁切面４９の前端は、補助誘水面４７の下端に対し直角に連なっている。
【００３１】
フード部４３内に浸入して背壁部４４の内面（前面）を伝って流れ落ちた水が、背壁部４４における排水口４５の上縁部４５Ｕに到達し、上縁部４５Ｕよりも幅狭の補助誘水面４７の上端部に接すると、表面張力により水膜が背壁部４４の内面から補助誘水面４７へ引き込まれる。これにより、水膜は、開口領域からフード部４３の外部下方へ滴下する。また、鉛直方向の補助誘水面４７の下端では、水平な縁切面４９が直角に連なっているので、補助誘水面４７の下端に到達した水は、確実に補助誘水面４７から離脱して落下する。
【００３２】
上述のように本実施例２のコネクタ４０は、フード部４３が、下壁部の後端部に連なる背壁部４４を有しており、排水口４５が背壁部４４の下端部にも開口されている。そして、背壁部４４には、排水口４５の開口縁を構成する上縁部４５Ｕの一部のみから排水口４５の開口領域内へ下向きに突出した形態の補助誘水突起４６が形成されている。この構成によれば、背壁部４４を伝って落ちた水が、排水口４５の開口縁の上縁部４５Ｕに隣接する領域に水膜を形成すると、その水膜は、補助誘水突起４６によって排水口４５内に引き込まれて排水される。
【００３３】
また、補助誘水突起４６は、フード部４３の背壁部４４の外面（後面）に開口する開口領域内に突出しているため、補助誘水突起４６が背壁部４４の外面に露出していると、補助誘水突起４６に対する異物の干渉が懸念される。しかし、本実施例２では、背壁部４４の外面に、補助誘水突起４６の後端部の全領域に連なる補助補強部４８を形成している。この補助補強部４８は、背壁部４４の後面（外面）からリブ状に突出しているので、補助誘水突起４６の剛性を高める機能を有する。したがって、補助誘水突起４６に異物が干渉しても、補助誘水突起４６の変形を防止できる。また、補助誘水突起４６に対する後方から異物の干渉を、補助補強部４８によって回避することもできる。
【００３４】
＜他の実施例＞
本発明は上記記述及び図面によって説明した実施例１，２に限定されるものではなく、例えば次のような実施例も本発明の技術的範囲に含まれる。
（１）上記実施例１，２では、誘水面が、排水口の開口領域に向かって下り勾配となるように傾斜しているが、誘水面は水平であってもよい。
（２）上記実施例１，２では、誘水面の全領域が１つの平面だけで構成されているが、誘水面は、水平面に対する角度の異なる複数の平面で構成されていてもよく、１つの曲面だけで構成されていてもよく、曲率の異なる複数の曲面で構成されていてもよく、平面と曲面とによって構成されていてもよい。
（３）上記実施例１，２では、誘水面が下壁部の上面に対し鈍角状に連なっているが、誘水面は下壁部の上面に対し段差状に連なっていてもよい。
（４）上記実施例１，２では、誘水突起が、排水口の開口縁を構成する１つの直線状の前縁部の幅方向中央から突出しているが、誘水突起は、排水口の前縁部における幅方向中央以外の位置から突出してもよい。
（５）上記実施例１，２では、誘水突起が、排水口の開口縁を構成する前縁部のみに形成されているが、誘水突起は、排水口の開口縁を構成する側縁部や後縁部に形成されていてもよい。
（６）上記実施例１，２では、フード部には、誘水突起に連なる補強部が形成されているが、フード部は補強部を有しない形態であってもよい。
（７）上記実施例１，２では、排水口が下壁部と背壁部とに開口しているが、排水口は下壁部のみに開口する形態であってもよい。
（８）上記実施例１では、１つの排水口に１つの誘水突起が形成されているが、１つの排水口に複数の誘水突起が形成されていてもよい。
（９）上記実施例２では、１つの排水口に２つの誘水突起が形成されているが、１つの排水口に３つ以上の誘水突起が形成されていてもよい。
【符号の説明】
【００３５】
Ｐ…パネル
Ｈ…取付孔
１０，４０…コネクタ
１１，４１…待受け側ハウジング
１３，４３…フード部
１４，４４…背壁部
１６…下壁部
１６Ｓ…下壁部の上面
２１，４５…排水口
２１Ｆ…前縁部（排水口の開口縁）
２２…誘水突起
２３…誘水面
２４…補強部
２５…流下面
３０…嵌込側ハウジング
３１…端子収容部
４５Ｕ…上縁部
４６…補助誘水突起
【図１】
2018073730.tif 000003
【図２】
2018073730.tif 000004
【図３】
2018073730.tif 000005
【図４】
2018073730.tif 000006
【図５】
2018073730.tif 000007
【図６】
2018073730.tif 000008
【図７】
2018073730.tif 000009
【図８】
2018073730.tif 000010
【図９】
2018073730.tif 000011
【図１０】
2018073730.tif 000012
【図１１】
2018073730.tif 000013
【手続補正書】
【提出日】平成29年10月6日(2017.10.6)
【手続補正１】
【補正対象書類名】明細書
【補正対象項目名】００１４
【補正方法】変更
【補正の内容】
【００１４】
嵌込側ハウジング３０は、複数の雌端子金具（図示省略）を収容する端子収容部３１を備えている。嵌込側ハウジング３０は、待受け側ハウジング１１の前方から端子収容部３１をフード部１３内に収容させるようにして、待受け側ハウジング１１に嵌合される。嵌込側ハウジング３０の背面側（待受け側ハウジング１１とは前後反対側）には、防水手段としての弾性を有するグロメット３２が取り付けられている。